(57)【要約】【課題】小さな電力で確実にケーブルを所望の長さ分繰出すことができるようにする。【解決手段】海洋センサ２５と、浮上部２と、吊下部１３から成るシステムを投下したとき、例えば発熱体１２Ａに電流を流して焼切糸９Ａを焼き切ることにより、スライドシャフト６Ａを圧縮コイルばね８により移動させて対応するフック１６Ａを固定すると、吊下部１３の降下によりフック１６Ａに連結しているスナップピン１７Ａが保持部１８から外れてロックばね２２Ａとの係合を解除し、これによりロックばね２２Ａが対応する保持ばね２１Ａに嵌って、保持ばね２１Ａに挿通させたケーブル長切替紐２０Ａを保持することによりケーブル長切替紐２０Ａの一端が固定されている位置までケーブル２６が繰出される。同様に焼切糸９Ｂまたは９Ｃを焼き切るとケーブル長切替紐２０Ｂまたはケーブル長切替紐２０Ｃの一端が固定されている位置までケーブル２６が繰出される。また焼切糸９Ａ、９Ｂ、９Ｃを焼き切らないときは、ケーブル２６は全長にわたって繰出される。【選択図】        図１
2005247503.tif 000002
【特許請求の範囲】
【請求項１】
海洋センサと、海面に浮かぶ浮上部と、該浮上部に一端を結合すると共に他端を前記海洋センサに結合したケーブルを繰出しながら沈降する吊下部から成るシステムに用いるケーブル長切替装置において、
前記浮上部に、複数のスライドシャフトと、各スライドシャフトに設けた圧縮コイルばねと、該圧縮コイルばねを圧縮させて各スライドシャフトの一端を引張るように設けられた複数の焼切糸と、各焼切糸に接するように設けられた複数の発熱体とを備え、
前記吊下部には、前記各スライドシャフトの他端と対向するように保持された複数のフックと、各フックに連動紐を介して連結された複数のスナップピンと、各スナップピンを保持する保持部と、一端を固定しかつ他端をスナップピンに係合させた複数のロックばねと、一端を固定しかつ他端を各ロックばねの近傍に設置させている複数の保持ばねと、一端をそれぞれ前記ケーブルの長さの異なる位置に固着しかつ他端をそれぞれ保持ばねに挿通させた複数のケーブル長切替紐とを備え、
前記ケーブルを選択した長さに繰出すとき、前記複数の発熱体からその選択した長さに対応する発熱体を選択して電流を流し、前記焼切糸を焼き切ることにより、１つのスライドシャフトを圧縮コイルばねにより移動させて対応するフックを固定することにより、前記浮上部と前記吊下部とが分離する際、前記固定されたフックに連結している前記スナップピンを前記保持部から外して前記ロックばねの他端の係合を解除し、該ロックばねの他端をばね力により対応する保持ばねの他端に嵌めて、該保持ばねに挿通させたケーブル長切替紐を保持することにより該ケーブル長切替紐の一端が固定されている位置までケーブルが繰出されるようにしたことを特徴とするケーブル長切替装置。
【請求項２】
請求項１において、
ケーブルを全長にわたって繰出すとき、前記複数の発熱体に電流を流さないようにしたことを特徴とするケーブル長切替装置
【発明の詳細な説明】
【技術分野】
【０００１】
本発明は、海面に浮かぶ浮上部からケーブルを介して海中に吊下される海洋センサの吊下深度を切替えるためのケーブル長切替装置に関する。
【背景技術】
【０００２】
従来のケーブル長切替装置は、浮上部に設けたシャフトが下方への移動を阻止されるように腕付スプリングにより抑えられ、ケーブルの長さを切替える際に腕付スプリングに結び付けた熱溶断体を発熱体で焼き切り、これにより腕付スプリングを動かしてシャフトを解放することで、該シャフトを駆動スプリングで下方に移動させ、このシャフトの下端で吊下部に設けたケーブル長切替紐を掛止している掛止具の一端を押し下げてケーブル長切替紐を開放している。
【０００３】
このようなシャフト、腕付スプリング、熱溶断体、発熱体、駆動スプリング、掛止具、ケーブル長切替紐を複数設置し、掛止するケーブル長切替紐と開放するケーブル長切替紐とを決定することによりケーブルを繰出す長さを調節している（例えば、特許文献１参照。）。
【特許文献１】特開平０８−００２８３３号公報（第４頁右欄３行目−第５頁左欄２５行目、第１図）
【発明の開示】
【発明が解決しようとする課題】
【０００４】
しかしながら、上述した従来の技術においては、ケーブルを長く繰り出す場合、設置されている複数の熱溶断体を焼き切る必要があるため、複数の発熱体に同時に電流を流さなければならず、そのため一時的に海水電池の電力の消費が大きくなって熱溶断体を焼き切るために必要な電流が発熱体に流れなくなることがあり、設定どおりのケーブルの長さに繰出すことができないことがある。
【０００５】
また、シャフトを設置するために縦方向に大きなスペースを必要になるという問題がある。
本発明は、上記の問題点を解決するためになされたもので、大きな電力を必要とせずに安定してケーブルの長さを切替え、かつ縦方向のスペースを小さくする手段を提供することを目的とする。
【課題を解決するための手段】
【０００６】
本発明は、上記課題を解決するために、海洋センサと、海面に浮かぶ浮上部と、該浮上部に一端を結合すると共に他端を前記海洋センサに結合したケーブルを繰出しながら沈降する吊下部から成るシステムに用いるケーブル長切替装置において、前記浮上部に、複数のスライドシャフトと、各スライドシャフトに設けた圧縮コイルばねと、該圧縮コイルばねを圧縮させて各スライドシャフトの一端を引張るように設けられた複数の焼切糸と、各焼切糸に接するように設けられた複数の発熱体とを備え、前記吊下部には、前記各スライドシャフトの他端と対向するように保持された複数のフックと、各フックに連結された複数のスナップピンと、各スナップピンを保持する保持部と、一端を固定しかつ他端をスナップピンに係合させた複数のロックばねと、一端を固定しかつ他端を各ロックばねの近傍に設置させている複数の保持ばねと、一端をそれぞれ前記ケーブルの長さの異なる位置に固着しかつ他端をそれぞれ保持ばねに挿通させた複数のケーブル長切替紐とを備え、前記ケーブルを選択した長さに繰出すとき、前記複数の発熱体からその選択した長さに対応する発熱体を選択して電流を流し、前記焼切糸を焼き切ることにより、１つのスライドシャフトを圧縮コイルばねにより移動させて対応するフックを固定することにより、前記浮上部と前記吊下部とが分離する際、前記固定されたフックに連結している前記スナップピンを前記保持部から外して前記ロックばねの他端の係合を解除し、該ロックばねの他端をばね力により対応する保持ばねの他端に嵌めて、該保持ばねに挿通させたケーブル長切替紐を保持することにより該ケーブル長切替紐の一端が固定されている位置までケーブルが繰出されるようにしたことを特徴とする。
【発明の効果】
【０００７】
これにより、本発明は、１つの発熱体に電流を流してケーブルを繰出すため大きい電力を必要とせずに安定してケーブルの繰出しを行うことができるという効果が得られる。
【発明を実施するための最良の形態】
【０００８】
以下に、図面を参照して本発明によるケーブル長切替装置の実施例について説明する。
【実施例１】
【０００９】
図１は本発明のケーブル長切替装置を示す構成図で、（ａ）は平面図、（ｂ）は側断面図である。図２は本発明のケーブル長切替装置のケーブルを繰出した状態を示す説明図である。図３は浮上部の初期状態を示す説明図で、（ａ）は平面図、（ｂ）は側断面図である。図４は吊下部の初期状態を示す説明図で（ａ）は平面図、（ｂ）は側断面図、（ｃ）はＸ−Ｘ線断面図ある。図５はフックを示す説明図で、（ａ）は平面図、（ｂ）は矢印イ方向の矢視図、（ｃ）は矢印ロ方向の矢視図である。図６は保持ばねを示す説明図で、（ａ）は平面図、（ｂ）は矢印ハ方向の矢視図、（ｃ）は矢印ニ方向の矢視図である。図７はロックばねを示す説明図で、（ａ）は平面図で、（ｂ）は矢印ホ方向の矢視図、（ｃ）は矢印ヘ方向の矢視図である。
【００１０】
図１、図２、図３および図４において、１はケーブル長切替装置であり、本ケーブル長切替装置１を適用したシステムは、図２に示したように海面に浮かぶ浮上部２からケーブル２６を介して吊下部１３と海洋センサ２５を所望の深度に吊下するものとなっている。
２はケーブル長切替装置１を設置している浮上部であり、海洋センサ２５で収集した情報を無線で基地局あるいは母船等に送信する機器を有している。
【００１１】
３は浮上部２に設置されているベース板である。
４、５は支持部であり、支持部４はベース板３上の外周付近に設置され、支持部５は支持部４に対向してベース板３の中央寄りに一定の距離に離れた位置に設置されている。
６Ａ、６Ｂ、６Ｃはスライドシャフトで、互いに平行となるようにそれぞれ支持部４、５に挿通しており、支持部５側の一端は鉤状に曲折形成され、また支持部４と支持部５との間に位置する部分にばね止め部７を備えている。
【００１２】
８は圧縮コイルばねであり、スライドシャフト６Ａ、６Ｂ、６Ｃそれぞれに嵌めこまれ、ばね止め部７と支持部５とに挟まれる位置に設置される。
９Ａ、９Ｂ、９Ｃは焼切糸である。焼切糸９Ａはその一端をスライドシャフト６Ａの鉤状に曲がっている一端に結び付け、他端は圧縮コイルばね８が圧縮するように糸張り部１０に結び付けている。
【００１３】
同様にして焼切糸９Ｂはスライドシャフト６Ｂの鉤状に曲がっている一端と糸張り部１０に結び付け、焼切糸９Ｃはスライドシャフト６Ｃの鉤状に曲がっている一端と糸張り部１０に結び付けている。
この焼切糸９Ａ、９Ｂ、９Ｂの他端が結び付けられた糸張り部１０は、支持部５に対向して一定の距離に離れた位置に設置されている。
【００１４】
１１はディプスユニットであり、支持部５と糸張り部１０との間に設置されている基板に発熱体１２Ａ、１２Ｂ、１２Ｃを配置することにより構成されている。
発熱体１２Ａは焼切糸９Ａに、発熱体１２Ｂは焼切糸９Ｂに、発熱体１２Ｃは焼切糸９Ｃそれぞれに接しており、図示しない海水電池からディプスユニット１１に電流が流れると発熱する。
【００１５】
発熱体１２Ａ、１２Ｂ、１２Ｃの内の電流を流す箇所は、例えば浮上部２に設けた図示しないボタンを押下し、図示しない制御部に指示信号を送信することにより設定されている。
１４は後述するケーブル２６を収納するために筒状の吊下部１３内に配置されたケーブルパックである。
【００１６】
１５はケーブルパック１４の上部に設けられているプレートであり、上面には後述する１７〜２４の構成要素を備えている。
１６Ａ、１６Ｂ、１６Ｃはフックであり、図５に示したように両端を逆Ｕ字形に曲折し、略ハート形をなすようにばね材で形成している。
フック１６Ａは両端の逆Ｕ字形を両端部としてこれを１つに重なるように撓ませ、この両端部を上方にしてフック１６Ａの上部が突出するように吊下部１３に形成された保持穴に嵌めこまれ、両端の逆Ｕ字形を１つに重ねたことにより発生するばね力により嵌めこんだ位置から外れないようにし、浮上部２と吊下部１３を重ねたとき、フック１６Ａの逆Ｕ字形の部分がスライドシャフト６Ａの他端と対向するようになっている。
【００１７】
同様にしてフック１６Ｂ、１６Ｃの逆Ｕ字形の部分を１つに重なるように撓ませ、この逆Ｕ字形の部分を上方にしてフック１６Ｂ、１６Ｃの上部が突出するように吊下部１３の保持穴に嵌めこまれ、浮上部２と吊下部１３を重ねたとき、フック１６Ｂの逆Ｕ字形の部分はスライドシャフト６Ｂの他端と対向するようになっており、フック１６Ｃの逆Ｕ字形の部分はスライドシャフト６Ｃの他端と対向するようになっている。
【００１８】
１７Ａ、１７Ｂ、１７Ｃはスナップピンであり、プレート１５の上側に設けられているピン保持部１８に保持されている。
１９Ａ、１９Ｂ、１９Ｃは連動紐であり、連動紐１９Ａは一端がフック１６Ａに結び付けられ、他端がスナップピン１７Ａの一端に結び付けられ、同様にして連動紐１９Ｂはフック１６Ｂとスナップピン１７Ｂとに結び付けられ、連動紐１９Ｃはフック１６Ｃとスナップピン１７Ｃとに結び付けられている。
【００１９】
２０Ａ、２０Ｂ、２０Ｃは筒状に編んだケーブル長切替紐であり、一端はケーブル２６の長さの異なった位置に固着している。
例えば、ケーブル長切替紐２０Ａは繰出すケーブル２６の長さが最も短い図２のＬ１の長さになるように、ケーブル長切替紐２０Ｂは繰出すケーブル２６の長さが２番目に短い図２のＬ２の長さになるように、ケーブル長切替紐２０Ｃは繰出すケーブル２６の長さが図２のＬ３の長さになるように固着されている。
２１Ａ、２１Ｂ、２１Ｃは保持ばねであり、ピン保持部１８の近傍に設けられて図６に示すように中心部を螺旋状に巻いたばねとなっており、一端がＬ字形に形成されてその先端をプレート１５に差し込み、螺旋状の中心部をプレート１５に設けられた突出部２４に嵌めあわせて位置を固定している。
また、保持ばね２１Ａのプレート１５に差し込んでいない他端はケーブル長切替紐２０Ａを挿通してプレート１５に設けられている溝に嵌めあわせてケーブル長切替紐２０Ａが抜けないように固定している。
同様にして保持ばね２１Ｂの場合はケーブル長切替紐２０Ｂ、保持ばね２１Ｃの場合はケーブル長切替紐２０Ｃにそれぞれ挿通している。
２２Ａ、２２Ｂ、２２Ｃはロックばねであり、図７に示すように中心部を螺旋状に巻いたばねとなっており、一端は環状をなすように例えば４角形状の掛止部２３が形成されて他端はＬ字形に形成され、Ｌ字形に形成された他端の先端をプレート１５に差し込み、螺旋状に巻かれた中心部をプレート１５に設けられた突出部２４に嵌めあわせて位置を固定している。
ロックばね２２Ａは、保持ばね２１Ａのケーブル長切替紐２０Ａが挿通している他端の近傍に設置され、撓ませて掛止部２３をスナップピン１７Ａの他端に引っ掛けて係合させてあり、同様にしてロックばね２２Ｂの場合は保持ばね２１Ｂのケーブル長切替紐２０Ｂが挿通している他端の近傍に設置されて掛止部２３をスナップピン１７Ｂの他端に係合させ、ロックばね２２Ｃの場合は保持ばね２１Ｂのケーブル長切替紐２０Ｂが挿通している他端の近傍に設置されて掛止部２３をスナップピン１７Ｃの他端に係合させている。
【００２０】
これらロックばね２２Ａ、２２Ｂ、２２Ｃの掛止部２３は、スナップピン１７Ａ、１７Ｂ、１７Ｃがピン保持部１８に保持されている状態でスナップピン１７Ａ、１７Ｂ、１７Ｃと係合状態を保てるようにしてある。
なお、海洋センサ２５は、海中の所定深度において海象等の情報を収集し、この海洋センサ２５からの信号を浮上部２内の機器に送るためのケーブル２６は、上端と下端が浮上部２と海洋センサ２５に固定され、途中が吊下部１３のケーブルパック１４内に空芯巻きされている。
【００２１】
上述した構成の作用について説明する。
浮上部２は、吊下部１３および海洋センサ２５と共に図示しない円筒内に収められ、ケーブル長切替装置１は図示しない制御部に電流を流す発熱体１２Ａ、１２Ｂ、１２Ｃの設定が行われた状態で海中に投入される。
海中に投入された図示しない円筒は浮上部２、吊下部１３および海洋センサ２５から分離して海中に沈降する。そして、浮上部２は海面に浮上して吊下部１３および海洋センサ２５は自重により沈降し始める。
【００２２】
浮上部２では図示しない海水電池が海水に触れるとディプスユニット１１に電流を流し始める。
この電流は、例えば繰出すケーブル２６の長さを図２に示す最も短い長さＬ１とする場合、発熱体１２Ａに電流が流れる。
発熱体１２Ａに電流が流れると発熱し、その発熱によって焼切糸９Ａが焼き切れる。
【００２３】
図８はケーブル長切替装置の浮上部側の動作を示す説明図で、（ａ）は平面図、（ｂ）は側断面図であり、この図８に示すように焼切糸９Ａが焼き切れると、スライドシャフト６Ａに嵌めこまれて支持部５とばね止め部７との間で圧縮したまま固定されていた圧縮コイルばね８がばね止め部７を支持部４の方へ押すため、スライドシャフト６Ａが移動して支持部３側の一端がフック１６Ａに挿通する。
【００２４】
その後、吊下部１３の沈降により浮上部２から吊下部１３が離れるに従って、フック１６Ａがスライドシャフト６Ａに引っ掛かるため、連動紐１９Ａに引張力が働く。
連動紐１９Ａに働いた引張力により、スナップピン１７Ａが引っ張られてピン保持部１８から外れ、吊下部１３から離れる。
図９はケーブル長切替装置の吊下部側の動作を示す説明図で、（ａ）は平面図、（ｂ）は側断面図、（ｃ）はＹ−Ｙ線断面図であり、前記のようにスナップピン１７Ａが吊下部１３から離れると、それと同時に図９（ａ）に示すようにスナップピン１７Ａに引っ掛かっていたロックばね２２Ａの掛止部２３がスナップピン１７Ａから外れ、この掛止部２３がばね力により矢印Ｄ方向へ回転して保持ばね２１Ａのケーブル長切替紐２０Ａが挿通している側の一端に嵌まる。
【００２５】
フック１６Ｂ、１６Ｃは、スライドシャフト６Ｂ、６Ｃが挿通していないため浮上部２と吊下部１３が分離すると吊下部１３の保持穴に嵌めこまれたままとなり、スナップピン１７Ｂ、１７Ｃはピン保持部１８に保持され、ロックばね２２Ｂ、２２Ｃはそれぞれスナップピン１７Ｂ、１７Ｃに引っ掛かったままとなる。
吊下部１３はケーブル２６をケーブルパック１４から繰出しながら海洋センサ２５と共に沈降していき、ケーブル２６がＬ１の長さまで繰出されると、このＬ１の位置に固着されたケーブル長切替紐２０Ａは矢印Ｅ方向に引っ張られる。
【００２６】
これにより、保持ばね２１Ａのケーブル長切替紐２０Ａを挿通している他端が矢印Ｆ方向の回転力を受けるが、このとき保持ばね２１Ａの他端に掛止部２３が嵌まっているため、その位置が固定されてケーブル長切替紐２０Ａは保持ばね２１Ａに挿通したまま保持されるため繰出されるケーブル２６の長さはＬ１となる。
繰出すケーブル２６の長さを図２に示す２番目に短い長さＬ２にする場合、発熱体１２Ｂを発熱させて焼切糸９Ｂを焼き切るように設定する。
発熱体１２Ｂに電流が流れると発熱し、その発熱によって焼切糸９Ｂが焼き切れる。
焼切糸９Ｂが焼き切れると、スライドシャフト６Ｂに嵌めこまれて支持部５とばね止め部７との間で圧縮したまま固定されていた圧縮コイルばね８がばね止め部７を支持部４の方へ押すため、スライドシャフト６Ｂが移動して支持部４側の一端がフック１６Ｂに挿通する。
【００２７】
その後、吊下部１３の沈降により浮上部２との距離がある程度離れると、フック１６Ｂがスライドシャフト６Ｂに引っ掛かるため、連動紐１９Ｂに引張力が働く。
連動紐１９Ｂに働いた引張力により、スナップピン１７Ｂが引っ張られてピン保持部１８から外れ、吊下部１３から離れる。
スナップピン１７Ｂが吊下部１３から離れると共にスナップピン１７Ｂに引っ掛かっていたロックばね２２Ｂの掛止部２３がスナップピン１７Ｂから外れ、この掛止部２３がばね力により図９に示す矢印Ｇ方向へ回転して保持ばね２１Ｂのケーブル長切替紐２０Ｂが挿通している側の一端に嵌まる。
【００２８】
フック１６Ａ、１６Ｃは、スライドシャフト６Ａ、６Ｃが挿通していないため浮上部２と吊下部１３が分離すると吊下部１３の保持穴に嵌めこまれたままとなり、スナップピン１７Ａ、１７Ｃはピン保持部１８に保持され、ロックばね２２Ａ、２２Ｃはそれぞれスナップピン１７Ａ、１７Ｃに引っ掛かったままとなる。
吊下部１３はケーブル２６をケーブルパック１４から繰出しながら海洋センサ２５と共に沈降していき、ケーブル２６がＬ１の長さまで繰出されると、このＬ１の位置に固着されたケーブル長切替紐２０Ａは矢印Ｅ方向に引っ張られる。
【００２９】
これにより、保持ばね２１Ａのケーブル長切替紐２０Ａを挿通している他端が矢印Ｆ方向の回転力を受けてプレート１５に設けられている溝から外れてケーブル長切替紐２０Ａが保持ばね２１Ａから抜け、ケーブル２６と共に繰出される。
そして、ケーブル２６がＬ２の長さまで繰出されると、このＬ２の位置に固着されたケーブル長切替紐２０Ｂは矢印Ｈ方向に引っ張られる。
【００３０】
これにより、保持ばね２１Ｂのケーブル長切替紐２０Ｂを挿通している他端が矢印Ｉ方向の回転力を受けるが、保持ばね２１Ｂの他端にロックばね２２Ｂの掛止部２３が嵌まっているため、その位置が固定されてケーブル長切替紐２０Ｂは保持ばね２１Ｂに挿通したまま保持されるため繰出されるケーブル２６の長さはＬ２となる。
繰出すケーブル２６の長さを図２に示す３番目に短い長さＬ３にする場合、発熱体１２Ｃを発熱させて焼切糸９Ｃを焼き切るように設定する。
発熱体１２Ｃに電流が流れると発熱し、その発熱によって焼切糸９Ｃが焼き切れる。
焼切糸９Ｃが焼き切れると、スライドシャフト６Ｃに嵌めこまれて支持部５とばね止め部７との間で圧縮したまま固定されていた圧縮コイルばね８がばね止め部７を支持部４の方へ押すため、スライドシャフト６Ｃが移動して支持部４側の一端がフック１６Ｃに挿通する。
【００３１】
その後、吊下部１３の沈降により浮上部２との距離がある程度離れると、フック１６Ｃがスライドシャフト６Ｃに引っ掛かるため、連動紐１９Ｃに引張力が働く。
連動紐１９Ｃに働いた引張力により、スナップピン１７Ｃが引っ張られてピン保持部１８から外れ、吊下部１３から離れる。
スナップピン１７Ｃが吊下部１３から離れると共にスナップピン１７Ｃに引っ掛かっていたロックばね２２Ｃの掛止部２３がスナップピン１７Ｃから外れ、この掛止部２３がばね力により図９に示す矢印Ｊ方向へ回転して保持ばね２１Ｃのケーブル長切替紐２０Ｃが挿通している側の一端に嵌まる。
フック１６Ａ、１６Ｂは、スライドシャフト６Ａ、６Ｂが挿通していないため浮上部２と吊下部１３が分離すると吊下部１３の保持穴に嵌めこまれたままとなり、スナップピン１７Ａ、１７Ｂはピン保持部１８に保持され、ロックばね２２Ａ、２２Ｂはそれぞれスナップピン１７Ａ、１７Ｂに引っ掛かったままとなる。
【００３２】
吊下部１３はケーブル２６をケーブルパック１４から繰出しながら海洋センサ２５と共に沈降していき、ケーブル２６がＬ１の長さまで繰出されると、このＬ１の位置に固着されたケーブル長切替紐２０Ａは矢印Ｅ方向に引っ張られる。
これにより、保持ばね２１Ａのケーブル長切替紐２０Ａを挿通している他端が矢印Ｆ方向の回転力を受けてプレート１５に設けられている溝から外れてケーブル長切替紐２０Ａが保持ばね２１Ａから抜け、ケーブル２６と共に繰出される。
【００３３】
次にケーブル２６がＬ２の長さまで繰出されると、このＬ２の位置に固着されたケーブル長切替紐２０Ｂは矢印Ｈ方向に引っ張られる。
これにより、保持ばね２１Ｂのケーブル長切替紐２０Ｂを挿通している他端が矢印Ｉ方向の回転力を受けてプレート１５に設けられている溝から外れてケーブル長切替紐２０Ｂが保持ばね２１Ｂから抜け、ケーブル２６と共に繰出される。
【００３４】
そして、ケーブル２６がＬ３の長さまで繰出されると、このＬ３の位置に固着されたケーブル長切替紐２０Ｃは矢印Ｋ方向に引っ張られる。
これにより、保持ばね２１Ｃのケーブル長切替紐２０Ｃを挿通している他端が矢印Ｍ方向の回転力を受けるが、保持ばね２１Ｃの他端にロックばね２２Ｃの掛止部２３が嵌まっているため、その位置が固定されてケーブル長切替紐２０Ｃは保持ばね２１Ｃに挿通したまま保持されるため繰出されるケーブル２６の長さはＬ３となる。
【００３５】
ケーブル２６を全長にわたって繰出す場合、つまり図２に示すＬ４の長さとするときは、発熱体１２Ａ、１２Ｂ、１２Ｃに電流を流さないように設定する。
フック１６Ａ、１６Ｂ、１６Ｃは、スライドシャフト６Ａ、６Ｂ、６Ｃが挿通していないため吊下部１３の保持穴に嵌めこまれたままとなり、スナップピン１７Ａ、１７Ｂ、１７Ｃはピン保持部１８に保持され、ロックばね２２Ａ、２２Ｂ、２２Ｃはそれぞれスナップピン１７Ａ、１７Ｂ、１７Ｃに引っ掛かったままとなる。
【００３６】
吊下部１３がケーブル２６をケーブルパック１４から繰出しながら海洋センサ２５と共に沈降していき、ケーブルがＬ１の長さまで繰出されると、このＬ１の位置に固着されたケーブル長切替紐２０Ａは矢印Ｅ方向に引っ張られる。
これにより、保持ばね２１Ａのケーブル長切替紐２０Ａを挿通している他端が矢印Ｆ方向の回転力を受けてプレート１５に設けられている溝から外れてケーブル長切替紐２０Ａが保持ばね２１Ａから抜け、ケーブル２６と共に繰出される。
【００３７】
ケーブル２６がＬ２の長さまで繰出されると、このＬ１の位置に固着されたケーブル長切替紐２０Ｂは矢印Ｈ方向に引っ張られる。
これにより、保持ばね２１Ａのケーブル長切替紐２０Ｂを挿通している他端が矢印Ｉ方向の回転力を受けてプレート１５に設けられている溝から外れてケーブル長切替紐２０Ｂが保持ばね２１Ｂから抜け、ケーブル２６と共に繰出される。
【００３８】
ケーブル２６がＬ３の長さまで繰出されると、このＬ１の位置に固着されたケーブル長切替紐２０Ｃは矢印Ｋ方向に引っ張られる。
これにより、保持ばね２１Ｃのケーブル長切替紐２０Ｃに挿通している他端が矢印Ｍ方向の回転力を受けてプレート１５に設けられている溝から外れてケーブル長切替紐２０Ｃが保持ばね２１Ｃから抜け、ケーブル２６と共に繰出される。
【００３９】
このように、ケーブル長切替紐２０Ａ、２０Ｂ、２０Ｃがケーブル２６の繰出しと共に繰出されるため、ケーブル２６はＬ４まで繰出される。
上記の繰出すケーブル２６の長さと発熱する発熱体１２Ａ、１２Ｂ、１２Ｃの関係を表１にまとめる。
【００４０】
【表１】
2005247503.tif 000003
【００４１】
この表から分かるように、発熱体１２ａを発熱するとケーブル長切替紐２０ａが保持されて繰出されるケーブル２６の長さがＬ１となり、発熱体１２Ｂを発熱するとケーブル長切替紐２０ｂが保持されて繰出されるケーブル２６の長さがＬ２となり、発熱体１２Ｃを発熱するとケーブル長切替紐２０Ｃが保持されて繰出されるケーブル２６の長さがＬ３となり、そして発熱体１２Ａ、１２Ｂ、１２Ｃを発熱しない場合、繰出されるケーブル２６の長さはＬ４となる。
以上説明したように、本発明では、発熱体に電流を流してケーブルを繰出すとき、長さに関わらず１つの発熱体に電流を流すようにしたため、安定した電力でケーブルを繰出すことができる。
また、ケーブルを最も長い長さで繰出すときは発熱体に電流を流さないため、作動信頼性が高いものとなるという効果が得られる。
さらに、構造が単純であるため低コストで構成することができ、また縦方向のスペースを縮小することができ高密度化実装が可能となる。
【図面の簡単な説明】
【００４２】
【図１】本発明のケーブル長切替装置を示す概略構成図
【図２】本発明のケーブル長切替装置のケーブルを繰出した状態を示す説明図
【図３】浮上部の初期状態を示す説明図
【図４】吊下部の初期状態を示す説明図
【図５】フックを示す説明図
【図６】保持ばねを示す説明図
【図７】ロックばねを示す説明図
【図８】ケーブル長切替装置の浮上部側の動作を示す説明図
【図９】ケーブル長切替装置の吊下部側の動作を示す説明図
【符号の説明】
【００４３】
１    ケーブル長切替装置
２    浮上部
３    ベース板
４、５  支持部
６Ａ、６Ｂ、６Ｃ  スライドシャフト
７    ばね止め部
８    圧縮コイルばね
９Ａ、９Ｂ、９Ｃ  焼切糸
１０    糸張り部
１１  ディプスユニット
１２Ａ、１２Ｂ、１２Ｃ  発熱体
１３  吊下部
１４  ケーブルパック
１５  プレート
１６Ａ、１６Ｂ、１６Ｃ  フック
１７Ａ、１７Ｂ、１７Ｃ  スナップピン
１８    ピン保持部
１９Ａ、１９Ｂ、１９Ｃ  連動紐
２０Ａ、２０Ｂ、２０Ｃ  ケーブル長切替紐
２１Ａ、２１Ｂ、２１Ｃ  保持ばね
２２Ａ、２２Ｂ、２２Ｃ  ロックばね
２３    掛止部
２４    突出部
２５    海洋センサ
２６    ケーブル
【図１】
2005247503.tif 000004
【図２】
2005247503.tif 000005
【図３】
2005247503.tif 000006
【図４】
2005247503.tif 000007
【図５】
2005247503.tif 000008
【図６】
2005247503.tif 000009
【図７】
2005247503.tif 000010
【図８】
2005247503.tif 000011
【図９】
2005247503.tif 000012